(57)【要約】【課題】専用端末を自己端末として利用するときに簡単、かつ安全に認証を行い、専用端末を情報端末に接続することができるようにする。【解決手段】ＣＴＩ装置２は、携帯電話４の携帯電話情報を登録しておき、携帯電話４から送信された携帯電話情報と登録された携帯電話情報を比較して、両者が一致した場合に、乱数値に基づいてワンタイムパスワードを生成した後、ワンタイムパスワードを音声信号によって携帯電話４に送信する。専用端末１のマイク３１に音声信号が入力されると、専用端末はＣＴＩ装置２にワンタイムパスワードおよび専用端末１の専用端末情報を送信する。ＣＴＩ装置２は専用端末１から送信されたワンタイプパスワードと携帯電話４に通知したワンタイムパスワードとを比較して、両者が一致すると、専用端末情報に該当する専用端末をデータ回線網を介して所定の情報端末に接続する。【選択図】  図１
2004348238.tif 000002
【特許請求の範囲】
【請求項１】
携帯電話の携帯電話情報を登録しておき、携帯電話から送信された携帯電話情報と認証装置に登録された携帯電話情報を比較して、両者が一致した場合に、乱数値に基づいてワンタイムパスワードを生成した後、前記ワンタイムパスワードを音声信号によって前記携帯電話に送信し、
次いで、専用端末のマイクに音声信号が入力されると、前記認証装置に前記ワンタイムパスワードおよび前記専用端末の専用端末情報を送信し、
前記認証装置が前記専用端末から送信されたワンタイムパスワードと前記携帯電話に通知したワンタイムパスワードとを比較して、両者が一致すると、前記専用端末情報に該当する専用端末をデータ回線網を介して所定の情報端末に接続する特徴とする通信方法。
【請求項２】
前記専用端末に接続される前記所定の情報端末は、少なくともユーザのパソコン環境を暗号化して格納するサーバを有し、前記情報端末は該サーバに記憶されたパソコン環境を復号する、請求項１記載の通信方法。
【請求項３】
前記専用端末は自動販売機から構成され、前記認証装置は、前記専用端末から送信されたワンタイムパスワードと前記携帯電話に通知されたワンタイムパスワードとを比較して両者が一致すると、前記専用端末情報に該当する専用端末に対して商品の販売を許可するとともに、商品情報を前記情報端末に送信する、請求項１記載の通信方法。
【請求項４】
携帯電話から通知された携帯電話情報を記憶するメモリと、
ワンタイムパスワード生成部と、
携帯電話から着呼があると、該携帯電話の携帯電話情報と前記メモリに記憶されている携帯電話情報を比較し、両者が一致すれば、前記ワンタイムパスワード生成部によってワンタイムパスワードを生成し、該ワンタイムパスワードを音声信号で前記携帯電話に通知し、ワンタイムパスワードと端末ＩＤ情報を専用端末から受信すると、該ワンタイムパスワードを前記生成されたワンタイムパスワードと比較し、一致すると、前記端末ＩＤ情報に該当する専用端末をデータ回線網を介して所定の情報端末に接続する認証部を有する認証装置。
【発明の詳細な説明】
【０００１】
【発明の属する技術分野】
本発明は通信方法および認証装置に関し、特に、ワンタイムパスワードを用いて専用端末を自己の専用端末として認証し、専用端末を所定の情報端末に接続することができる通信方法および認証装置に関する。
【０００２】
【従来の技術】
従来、レンタルオフィス、リモートオフィスでは、その場所に存在するパソコン等の専用端末を共同で利用するか、または、各自で専用端末を持ち込んで利用する必要があった。
【０００３】
しかしながら、専用端末を持ち込んで使用する場合には、ネットワークの設定といった個別の設定事項は、自分専用にすることができ、使用環境のカスタマイズは実現できるものの、専用端末自体を持ち運ぶことが必須条件となり不便であった。
【０００４】
一方、専用端末を共同で利用する場合には、自分の会社のネットワークにリモート接続したり、また、インターネットに接続したりするために、利用する前に、事前に、ネットワークの接続を変更したり、メールソフトの各種の設定を行うことを余儀なくされ、日本語の入力に際しても、日本語の辞書等も共同利用となるため、効率が悪く不便であり、ファイルをハードディスクに保存する際の安全性について、常にユーザ自身が注意を払う必要があった。
【０００５】
このような問題点を解決する方法としては、特許文献１に記載されている共同利用コンピュータ利用方法がある。この共同利用コンピュータ利用方法では、ユーザが専用端末を利用する際に、自分が以前使用していた環境を引き続き別の専用端末で使用することが可能となり、専用端末が複数箇所に設置されている場合であって、その設置箇所がそれぞれ別の場所である場合でも、同様に自分が以前使用していた環境を引き続き別の専用端末で使用することが可能となる。
【０００６】
すなわち、特許文献１に記載されている共同利用コンピュータ利用方法では、使用環境をバックアップしたパソコン等の自己の情報端末と、その使用環境を復元する専用端末が別であり、それぞれ別の場所に設置されている場合でも、従前の使用環境を不都合なく復元することを可能とする。
【０００７】
ところで、不特定多数のユーザに利用される専用端末に、情報端末の使用環境を復元する際には、専用端末を自己の情報端末と同様に使用するために、専用端末に情報端末の使用環境を安全に復元する必要、すなわち、専用端末が自己の情報端末にアクセスすることを許可する認証を行う必要がある。
【０００８】
このため、専用端末にユーザのパスワードやＩＤを入力した後、あるいは専用端末のカード・リードライタにＩＣカードを差込んで、ＩＣカードに記憶されたユーザＩＤをカード・リードライタによって読み込んだ後に、専用端末から入力されたパスワードやユーザＩＤを認証サーバに登録されたパスワードやユーザＩＤと比較して認証し、認証された場合に、専用端末を自己の情報端末にアクセスする許可を与え、自己の情報端末の環境を専用端末に配信することにより、専用端末に対して安全に使用環境を復元することができるようにしている。
【０００９】
ところが、このようにパスワードやＩＤを専用端末に入力する場合には、パスワードやＩＤを忘れるおそれがあり、一方、ＩＣカードを利用する場合には、ＩＣカードを盗まれてしまうおそれがあり、専用端末を安全、かつ確実に使用することができない。
【００１０】
このような不具合を解消するものとしては、例えば、特許文献２に示す、パスワードを用いた通信方法がある。特許文献２に示すものは、情報システムを利用できるユーザの個人パスワードとアドレスをサーバに登録しておき、ユーザが専用携帯端末で個人パスワードを用いてサーバにワンタイムパスワードを要求すると、サーバが専用携帯端末からの登録された個人パスワードを用いたアクセスであることを確認した上で、ワンタイムパスワードを発行し、次いで、サーバから専用携帯端末を呼び出して専用携帯端末の表示画面にワンタイムパスワードを表示することにより、専用携帯端末はこのワンタイムパスワードを用いて専用端末を情報を含んだ情報システムに接続するようにしている。
【００１１】
この特許文献２に示すものは、情報システムに接続をする際に、ワンタイムパスワードを文字情報として取得することができるので、第三者にワンタイムパスワードを知られるおそれがない。このため、この特許文献２に示す技術によってワンタイムパスワードを取得して、このワンタイムパスワードに基づいて認証を行えば、他のパソコンを使用する際の安全性を確保することができる。
【００１２】
【特許文献１】
特開２００１−３４５８０号公報
【特許文献２】
特開２００２−３５２１０２号公報
【００１３】
【発明が解決しようとする課題】
しかしながら、特許文献２に示すものは、ワンタイムパスワードを文字情報として取得しているが、このような文字情報はユーザが予め契約したサービス（例えば、ＮＴＴドコモが提供するｉモード（登録商標）サービス等）からしか取得することができず、汎用性があるものではなかった。
【００１４】
そこで、本発明の目的は、専用端末を自己端末として利用するときに簡単、かつ安全に認証を行い、専用端末を情報端末に接続することができる通信方法および認証装置を提供することにある。
【００１５】
【課題を解決するための手段】
本発明の通信方法が適用される通信システムは、携帯電話の携帯電話情報が登録された認証装置と、認証装置にデータ回線網を介して接続される専用端末とを備えている。認証装置は、携帯電話から送信される携帯電話情報（発ＩＤ）と認証装置に登録された携帯電話情報を比較して、両者が一致の場合に、乱数値に基づいてワンタイムパスワードを生成した後、ワンタイムパスワードを音声信号によって携帯電話に送信する。専用端末は、音声信号を入力するマイクを有し、マイクに音声信号が入力されると、認証装置にワンタイムパスワードおよび専用端末の専用端末情報を送信する。認証装置は、専用端末から送信されたワンタイムパスワードと携帯電話に通知したワンタイムパスワードとを比較して両者が一致すると、専用端末情報に該当する専用端末をデータ回線網を介して所定の情報端末に接続する。
【００１６】
その場合、常に持ち歩いている携帯電話を用いて音声信号からなるワンタイムパスワードを取得し、音声信号を携帯電話から専用端末に送信して専用端末をデータ回線網を介して所定の情報端末に接続するので、ｉモード等の特定のサービスと契約してワンタイムパスワードを取得するのを不要にし、ワンタイムパスワードの取得に際して汎用性を持たせることができる。この結果、専用端末を自己端末として利用するときに簡単、かつ安全に認証を行い、専用端末を情報端末に接続することができる。これに加えて、ワンタイムパスワードが固定されることがないので、ワンタイムパスワードが第三者に漏洩されるのを確実に防止することができる。
【００１７】
また、本発明の実施態様では、専用端末に接続される所定の情報端末は、少なくともユーザのパソコン環境を暗号化して格納するサーバを有し、情報端末はサーバに記憶されたパソコン環境を復号する。
【００１８】
その場合、ユーザのパソコン環境が第三者に漏洩されるのを防止することができる。
【００１９】
また、本発明他の実施態様では、専用端末は自動販売機から構成され、認証端末は、専用端末から送信されたワンタイムパスワードと携帯電話に通知されたワンタイムパスワードとを比較して両者が一致すると、専用端末情報に該当する専用端末に対して商品の販売を許可するとともに、商品情報を情報端末に送信する。
【００２０】
その場合、お金を持ち歩くことなく自動販売機から商品を購入することができるとともに、商品情報（商品名、料金）を情報端末に通知することにより、課金を確実に行うことができる。
【００２１】
【発明の実施の形態】
以下、本発明の実施形態を図面を参照して説明する。
【００２２】
（第１の実施形態）
図１は本発明の通信方法が適用された第１の実施形態の通信システムを示す図である。
【００２３】
まず、図１を参照すると、本通信システムは、専用端末１とＣＴＩ装置（認証装置）２と情報端末３から構築され、携帯電話４によって専用端末１を自己端末として認証するものである。
【００２４】
携帯電話４は携帯網５からＰＳＴＮ（公衆回線網）６を介してＣＴＩ装置２に接続されるようになっており、ＣＴＩ装置２は情報端末３に接続可能になっている。
【００２５】
また、専用端末１はインターネット網（データ通信網）８を介してブロードバンドゲートウェイ（以下、単にＢＢＧＷという）９に接続されており、このＢＢＧＷ９は情報端末３に接続されている。
【００２６】
ＣＴＩ装置２は、図２（ａ）に示すように、メモリ２１と認証部２２とワンタイムパスワード生成部２３とＰＢ信号変換部２４を有し、ＰＳＴＮ６を介して携帯網５に接続されるとともに情報端末３に接続されており、ＣＴＩ装置２は携帯電話４から発ＩＤ（携帯電話４の電話番号（携帯電話情報））が通知されると、この発ＩＤをメモリ２１に記憶するようになっている。
【００２７】
情報端末３は、例えば、ユーザの会社に設置されたユーザＰＣ１０およびユーザＰＣサーバ（サーバ）１１から構成されており、ユーザＰＣサーバ１１には携帯電話４を所有するユーザＰＣの環境やファイル情報からなるユーザＰＣ環境１１ａや他のユーザＰＣのユーザＰＣの環境ＰＣ環境が格納されている。すなわち、情報端末３はシェアードＰＣシステムを構築するものであり、インターネット網８を介して専用端末１との間でデータのやり取りを行うようになっている。
【００２８】
一方、ＣＴＩ装置２は、携帯電話４から携帯網５およびＰＳＴＮ６を介して発ＩＤがＰＢ信号によって送信されると、この発ＩＤを認証部２２によってメモリ２１に登録された発ＩＤと比較し、両者が一致すると、ワンタイムパスワード生成部２３によって乱数を用いてワンタイムパスワードを生成し、このワンタイムパスワードをＰＢ信号変換部２４によってＰＢ信号に変換して携帯電話４に送信する。なお、このＰＢ信号は例えば、「１２４５３」等のＰＢ音の組合わせからなり、携帯電話４との間で携帯網５が接続されている間は繰り返し送信される。なお、音声信号としては、ＰＢ信号に限らず、モデム信号、音声ガイダンスであっても良い。
【００２９】
専用端末１は、図２（ｂ）に示すように、パソコンから構成されており、マイク３１、液晶表示画面３２、キーボード３３、パソコンとしての制御を実行するための制御部３４、ハードディスク３５、インターネット網８と接続され、所定の通信プロトコルを実行する通信制御部３６等を備えており、専用端末１には携帯電話４からのＰＢ信号がマイク３１から入力されるようになっている。制御部３４はマイク３１からＰＢ信号が正常に入力されたことを検知すると、液晶表示画面３２によって「パスワードが正常に入力されました」という表示を行ってユーザに通知するようになっている。なお、この通知に関しては、図示しないスピーカから「パスワードが正常に入力されました」という音声を出力することにより行ってもよい。また、制御部３４はワンタイムパスワードが正常に入力されると、ハードディスク３５に記憶された端末ＩＤと入力されたワンタイムパスワードをインターネット網８を介してＣＴＩ装置２に送信するようになっている。
【００３０】
ＣＴＩ装置２は認証部２２によって専用端末１から入力されたワンタイムパスワードとワンタイムパスワード生成部２３によって生成されたワンタイムパスワードとを比較し、両者が一致したときに、端末ＩＤ（ＩＰアドレス等）に基づいてインターネット網８上の該当する専用端末１を検索し、ユーザＰＣ１０をインターネット網８を介して専用端末１に接続するようになっている。
【００３１】
ユーザＰＣ１０は発ＩＤに基づいて専用端末１を識別し、ユーザＰＣサーバ１１の前記発ＩＤに対応するユーザＰＣ環境１１ａをダウンロードしてパソコン１０の画面イメージをインターネット網８を介して専用端末１に配信するようになっている。また、専用端末１のキーボード、マウス情報はユーザＰＣ１０に伝えられる。すなわち、専用端末１は遠隔画面制御ソフトを機能を有する。
【００３２】
専用端末１はインターネット網８を介してユーザＰＣ１０との間でファイルの作成、更新、削除等を行う。専用端末１の利用を終了すると、ユーザＰＣ１０は、ファイル情報とユーザ環境をユーザＰＣ環境１１ａを記憶する。
【００３３】
なお、ユーザＰＣ１０に暗号化／復号部を設け、ユーザＰＣサーバ１１にユーザＰＣ環境１１ａをアップロードするときに鍵によって暗号化してユーザＰＣサーバ１１に記憶したり、ユーザＰＣサーバ１１から暗号化されて配信されたユーザＰＣ環境１１ａをユーザＰＣ１０で復号するようにしてもよい。
【００３４】
また、図３に示すように、専用端末１自体がユーザＰＣ１０の機能を持つようにしてもよい。
【００３５】
次に、図４のシーケンス図に基づいて本実施形態の通信方法を説明する。
【００３６】
まず、携帯電話４からＣＴＩ装置２に発呼して携帯電話４の電話番号である発ＩＤをＣＴＩ装置２の登録手段に登録する（ステップ１０１）。次いで、ユーザがインターネットカフェやレンタルオフィス等に設置された専用端末１でユーザＰＣ１０の画面イメージの配信を受ける場合には、ユーザの所有する携帯電話４から携帯網５およびＰＳＴＮ６を介してＣＴＩ装置２を発呼する。
【００３７】
ＣＴＩ装置２は携帯電話４から着呼があると、認証部２２によって発ＩＤとメモリ２１に記憶された発ＩＤとを比較し、両者が一致すると、ワンタイムパスワード生成部２３によってワンタイムパスワードを乱数値に基づいて生成し、このワンタイムパスワードをＰＢ信号変換部２４によってＰＢ信号に変換して携帯電話４に通知する（ステップ１０３）。
【００３８】
ユーザは携帯電話４から出力されるワンタイムパスワードを専用端末１のマイク３１に入力する（ステップ１０４）。このとき、ＣＴＩ装置２はＰＢ信号を繰り返し送信するので、専用端末１にＢＰ信号が正常に入力されたときに、液晶表示画面３２により「パスワードが正常に入力されました」という表示を行うので（ステップ１０５）、ユーザはこの表示を見たときに携帯電話４をオフフックする。
【００３９】
専用端末１のマイク３１にワンタイムパスワードが正常に入力されると、制御部３４にこのワンタイムパスワードを一時的に記憶するとともに、ハードディスク３５に記憶された端末ＩＤ（ＩＰアドレス等）を読み出し、この端末ＩＤと一時的に記憶されたワンタイムパスワードをインターネット網８を介してＣＴＩ装置２に送信する（ステップ１０６）。
【００４０】
ＣＴＩ装置２は認証部２２によって専用端末１から入力されたワンタイムパスワードとワンタイムパスワード生成部２３によって生成されたワンタイムパスワードとを比較し、両者が一致したときに、端末ＩＤ（ＩＰアドレス等）に基づいてインターネット網８上の該当する専用端末１を検索し、ユーザＰＣ１０に接続許可信号と端末ＩＤを送信するとともに、端末ＩＤに対応する専用端末１に接続許可信号を送信することにより（ステップ１０８）、ユーザＰＣ１０をインターネット網８を介して専用端末１に接続する（ステップ１０９）。
【００４１】
ユーザＰＣ１０は端末ＩＤで専用端末１を識別し、ユーザＰＣサーバ１１の前記発ＩＤに対応するユーザＰＣ環境１１ａを読出し、画面イメージをインターネット網８を介して専用端末１に配信する（ステップ１１０）。このとき、専用端末１のキーボード、マウス情報はユーザＰＣ１０に伝えられるので、専用端末１はインターネット網８を介してユーザＰＣ１０との間でファイルの作成、更新、削除等を行う（ステップ１１１）。専用端末１の利用を終了すると、ユーザＰＣ１０は、ファイル情報とユーザ環境をユーザＰＣ環境１１ａを記憶する。
【００４２】
以上のように本実施形態では、常に持ち歩いている携帯電話４を用いてＢＰ信号からなるワンタイムパスワードを取得し、ＰＢ信号を携帯電話４から専用端末１のマイク３１に入力した後、専用端末１からＣＴＩ装置２に端末ＩＤとワンタイムパスワードを送信してＣＴＩ装置２によってユーザ認証を行ったとき、専用端末１をインターネット網８を介して情報端末３に接続するので、ｉモード等の特定のサービスと契約してワンタイムパスワードを取得するのを不要にし、ワンタイムパスワードの取得に際して汎用性を持たせることができる。この結果、専用端末１を自己端末として利用するときに簡単、かつ安全に認証を行い、専用端末１を情報端末３に接続することができる。
【００４３】
また、ＣＴＩ装置２を携帯電話４にＰＢ信号を繰り返して送信し、専用端末１のマイク３１にＰＢ信号が正常に入力されると、液晶表示画面３２によって通知するようにしたので、ＰＢ信号を専用端末１に確実に入力することができる上に、ユーザは専用端末１にＰＢ信号が正常に入力されたことを知ることができ、ＰＢ信号の入力後に携帯電話４をオフフックして通話料金がかさむのを防止することができる。
【００４４】
また、ＣＴＩ装置２は携帯電話４から携帯端末情報を受信する毎に、乱数値に基づいてワンタイムパスワードを生成するので、ワンタイムパスワードが固定されるのを防止して、ワンタイムパスワードが第三者に漏洩されるのを確実に防止することができる。
【００４５】
なお、ユーザＰＣ環境１１ａを暗号化および復号してパソコンＰＣ１０にアップロードおよびダウンロードすれば、ユーザのパソコン環境１１ａが第三者に漏洩されるのを防止することができる。
【００４６】
（第２の実施形態）
図５は第２の実施形態による通信システムの構成を示す図である。なお、本実施形態では、第１の実施形態と同様の構成には同一番号を付して説明を省略する。
【００４７】
本実施形態では、図５に示すように、情報端末４１が映像コンテンツを配信する端末であり、情報端末４１は映像配信サーバ４２と複数の映像、例えば、映画、プロモーションビデオ、テレビ番組等の映像コンテンツを格納する映像コンテンツサーバ４３とを備えており、映像配信サーバ４２は専用端末１からの要求に応じて映像コンテンツサーバ４３から任意の映像を選択して専用端末１に配信するようになっている。なお、通信シーケンスに関しては、画面イメージの配信の処理が映像配信処理に変更されるのみでその他のシーケンスは第１の実施形態と同様であるため、説明を省略する。
【００４８】
本実施形態では、常に持ち歩いている携帯電話４を用いてＢＰ信号からなるワンタイムパスワードを取得し、ＰＢ信号を携帯電話４から専用端末１のマイク３１に入力し、専用端末１からＣＴＩ装置２に端末ＩＤを送信してＣＴＩ装置２によってユーザ認証を行ったとき、専用端末１をインターネット網８を介して映像配信サーバ４２に接続し、キーボード３３を操作して映像配信サーバ４２を介して映像コンテンツサーバ４３に格納された所望する映像を配信させることができるので、ｉモード等の特定のサービスと契約してワンタイムパスワードを取得するのを不要にし、ワンタイムパスワードの取得に際して汎用性を持たせることができる。
【００４９】
なお、情報端末４１としては、このような映像を配信する端末ではなく、音楽を配信するものであってもよく、商品情報や旅行情報等を配信するものであってもよい。要は、ネットワーク上に存在する種々の情報提供端末に接続することができればよいのである。
【００５０】
（第３の実施形態）
図６は本発明の第３の実施形態の通信システムの構成を示す図である。なお、本実施形態では、第１の実施形態と同様の構成には同一番号を付して説明を省略する。
【００５１】
本実施形態では、図６、７に示すように、専用端末を自動販売機（例えば、飲料水の自動販売機）５１で構成し、情報端末を自動販売機５１を管理する商品管理端末６１で構成したものである。
【００５２】
自動販売機５１は、図７（ａ）に示すように、マイク５２と、任意の飲料水の取り出し要求が行われたことを検知して飲料水を取り出し口に移動させるためのアクチュエータ５３と、自動販売機５１全体を制御する制御部５４と、インターネット網８と接続され、所定の通信プロトコルを実行する通信制御部５５と、メモリ５６等を備えている。
【００５３】
また、商品管理端末６１は、図７（ｂ）に示すように、商品管理を行う管理部６２と、課金処理を行う課金部６３と、ユーザ管理を行うユーザ管理部６４と、通信制御部６５等を備えている。
【００５４】
次に、図８のシーケンス図に基づいて本実施形態の通信方法を説明する。
【００５５】
まず、携帯電話４からＣＴＩ装置２に発呼して携帯電話４の電話番号である発ＩＤをＣＴＩ装置２のメモリ２１に登録する（ステップ２０１）。次いで、ユーザが自動販売機５１を利用する場合には、ユーザの所有する携帯電話４から携帯網５およびＰＳＴＮ６を介してＣＴＩ装置２を発呼する（ステップ２０２）。
【００５６】
ＣＴＩ装置２は携帯電話４から着呼があると、認証部２２によってこの発ＩＤをメモリ２１に記憶された発ＩＤとを比較し、両者が一致すると、ワンタイムパスワード生成部２３によってワンタイムパスワードを乱数値に基づいて生成し、ワンタイムパスワードをＰＢ信号変換部２４によって変換して携帯電話４に通知する（ステップ２０３）。
【００５７】
ユーザは携帯電話４から出力されるワンタイムパスワードを自動販売機５１のマイク５２に入力する（ステップ２０４）。このとき、ＣＴＩ装置２はＰＢ信号を繰り返し送信するので、自動販売機５１のマイク５２にＢＰ信号が正常に入力されたときに、図示しないスピーカにより「パスワードが正常に入力されました」という音声通知を行うので、ユーザはこの音声通知を認識した後、携帯電話４をオフフックする。
【００５８】
自動販売機５１のマイク５２にワンタイムパスワードが正常に入力されると、制御部５４にこのワンタイムパスワードを一時的に記憶するとともに、メモリ５６に記憶された端末ＩＤ（ＩＰアドレス等）を読み出し、この端末ＩＤと一時的に記憶されたワンタイムパスワードをインターネット網８を介してＣＴＩ装置２に送信する（ステップ２０６）。
【００５９】
ＣＴＩ装置２は認証部２２によって自動販売機５１から入力されたワンタイムパスワードとワンタイムパスワード生成部２３によって生成されたワンタイムパスワードとを比較し、両者が一致したときに、端末ＩＤ（ＩＰアドレス等）に基づいてインターネット網８上の該当する自動販売機５１を検索し、該当する自動販売機５１および商品管理端末６１に対して認証部２２から接続許可信号を送信するとともに（ステップ２０７）、商品管理端末６１に自動販売機５１の端末ＩＤおよび接続許可信号を送信した後（ステップ２０８）、自動販売機５１をインターネット網８を介して商品管理端末６１に接続する。次いで、商品管理端末６１から自動販売機５１に販売許可信号を送信する（ステップ２０９）。
【００６０】
そして、ユーザによって自動販売機５１から所定の商品が購入されると、自動販売機５１の制御部５４は商品情報（商品名、料金）を商品管理端末６１に送信する（ステップ２１０）。商品管理端末６１は自動販売機５１から送信された商品情報を管理部６２に格納された商品情報から検索し、課金部６３によってその商品に対する課金を行う。次いで、ユーザ管理部６４によってＣＴＩ装置２から送信された発ＩＤに課金情報を割り付けることにより、携帯電話４の商品の購入金額を管理し、請求書を発行する。
【００６１】
以上のように、本実施形態では、常に持ち歩いている携帯電話４を用いてＢＰ信号からなるワンタイムパスワードを取得し、ＰＢ信号を携帯電話４から自動販売機５１のマイク５２に入力し、自動販売機５１からＣＴＩ装置２に端末ＩＤとワンタイムパスワードを送信してＣＴＩ装置２によってユーザ認証を行ったとき、自動販売機５１をインターネット網８を介して商品管理端末６１に接続するので、ｉモード等の特定のサービスと契約してワンタイムパスワードを取得するのを不要にし、ワンタイムパスワードの取得に際して汎用性を持たせることができる。これに加えて、お金を持ち歩くことなく自動販売機５１から商品を購入することができ、商品情報を商品管理端末６１に通知することにより、課金を確実に行うことができる。
【００６２】
【発明の効果】
以上説明したように、本発明によれば、専用端末を自己端末として利用するときに簡単、かつ安全に認証を行い、専用端末を情報端末に接続することができる通信システムおよび通信方法を提供することができる。
【図面の簡単な説明】
【図１】本発明が適用された第１の実施形態の通信システムの構成図である。
【図２】図１中のＣＴＩ装置２と専用端末１の構成図である。
【図３】第１の実施形態の変形例の通信システムの構成図である。
【図４】第１の実施形態の通信システムの動作を示すシーケンス図である。
【図５】本発明が適用された第２の実施形態の通信システムの構成図である。
【図６】本発明が適用された第３の実施形態の通信システムの構成図である。
【図７】図６中の専用端末１と商品管理端末６１の構成図である。
【図８】第３の実施形態の通信システムの動作を示すシーケンス図である。
【符号の説明】
１    専用端末
２    ＣＴＩ装置
３    情報端末
４    携帯電話
５    携帯網
６    ＰＳＴＮ
８    インターネット網
９    ＢＢＧＷ
１０    ユーザＰＣ
１１    ユーザＰＣサーバ
１１ａ    ユーザＰＣ環境
２１    メモリ
２２    認証部
２３    ワンタイムパスワード生成部
２４    ＰＢ信号変換部
３１    マイク
３２    液晶表示画面
３３    キーボード
３４    制御部
３５    ハードディスク
３６    通信制御部
４１    情報端末
４２    映像配信サーバ
４３    映像コンテンツサーバ
５１    自動販売機
５２    マイク
５３    アクチュエータ
５４    制御部
５５    通信制御部
５６    メモリ
６１    商品管理端末
６２    管理部
６３    課金部
６４    ユーザ管理部
６５    通信制御部
１０１〜１１１，２０１〜２１０    ステップ
【図１】
2004348238.tif 000003
【図２】
2004348238.tif 000004
【図３】
2004348238.tif 000005
【図４】
2004348238.tif 000006
【図５】
2004348238.tif 000007
【図６】
2004348238.tif 000008
【図７】
2004348238.tif 000009
【図８】
2004348238.tif 000010